(57)【特許請求の範囲】
【請求項１】
（ａ）アップリンクからの複数の受信信号であって、アクセス要求されている異なる無線通信方式の種類に関する情報を包含する複数の受信信号を検出し、および
（ｂ）前記検出情報に従って、前記異なる通信方式によって共有される無線ＲＦ資源を割り当てることを具備する多規格無線通信システムにおける無線ＲＦ資源の割当て方法であって、
前記ステップ（ｂ）は、
（ｂ１）或る設定間隔で、前記異なる無線通信方式のそれぞれへのアクセス要求に関する情報の統計を実施し、および
（ｂ２）前記設定間隔の前記統計に従って、前記異なる無線通信方式によって共有される前記ＲＦ資源を割り当てることを含み、
前記異なる無線通信方式のそれぞれへのアクセス要求に関する前記情報は、トラフィック比を計算するために前記異なる無線通信方式のそれぞれへのアクセス要求の数を含む、方法。
【請求項２】
前記ステップ（ｂ２）において、前記トラフィック比は、前記異なる無線通信方式のそれぞれへのアクセス要求数の比を計算することによって実現される、請求項１に記載の方法。
【請求項３】
前記ステップ（ｂ１）において、前記統計は、前記設定間隔の全体において、前記異なる無線通信方式のそれぞれへのアクセス要求に関する前記情報の統計を実施することによって達成される、請求項１または請求項２に記載の方法。
【請求項４】
前記ステップ（ｂ１）において、前記統計は、前記設定間隔の混雑時間内において、前記異なる無線通信方式のそれぞれへのアクセス要求に関する前記情報の統計を実施することによって達成される、請求項１または請求項２に記載の方法。
【請求項５】
前記ステップ（ｂ）は、
（ｂ２）前記異なる無線通信方式へのアクセス要求のために利用可能なＲＦ資源があるかどうかを判断し、および
（ｂ３）前記要求のために利用可能なＲＦ資源がある場合には、前記要求に対して前記利用可能なＲＦ資源を割り当てることをさらに含む、請求項１から請求項４のいずれかに記載の方法。
【請求項６】
前記ステップ（ｂ）は、
（ｂ１）前記ＲＦ資源を特定の通信方式に予め割当て、
（ｂ２）前記異なる無線通信方式が前記特定の通信方式でない場合に、前記異なる無線通信方式へのアクセス要求のために利用可能なＲＦ資源があるかどうかを判断し、および
（ｂ３）前記要求のために利用可能なＲＦ資源がある場合には、前記要求に対して前記利用可能なＲＦ資源を割り当てることをさらに含む、請求項１から請求項４のいずれかに記載の方法。
【請求項７】
前記ステップ（ｂ２）および（ｂ３）は、
加入者が前記異なる無線通信方式にアクセスするために接続要求を送る、という条件で実行される、請求項５または請求項６に記載の方法。
【請求項８】
ステップ（ｂ２）および（ｂ３）は、
セル・ハンドオーバを実行する加入者が、前記異なる無線通信方式にアクセスするためにハンドオーバ要求を送る、という条件で実行される、請求項５または請求項６に記載の方法。
【請求項９】
前記ステップ（ｂ３）は、
（ｉ）前記無線通信方式への前記アクセス要求のために利用可能なＲＦ資源がない場合に、前記要求のために利用可能なＲＦ搬送波があるかどうかを判断し、および
（ｉｉ）前記要求のために利用可能なＲＦ搬送波がある場合には、前記利用可能なＲＦ搬送波を前記無線通信方式に割り当てるとともに、対応するＲＦ資源を前記要求に割り当てることをさらに含む、請求項５から請求項８のいずれかに記載の方法。
【請求項１０】
前記ステップ（ｉｉ）は、
前記無線通信方式を採用する通信が終了するときに、前記要求に割り当てられた前記ＲＦ搬送波が解除されることをさらに含む、請求項９に記載の方法。
【請求項１１】
前記ステップ（ｉｉ）は、
前記要求のために利用可能なＲＦ搬送波がない場合には、前記要求は拒絶されることをさらに含む、請求項９または請求項１０に記載の方法。
【請求項１２】
前記無線通信方式は、ＩＳ−９５、ＣＤＭＡ、ＧＳＭ、ＴＳＭ、ＧＰＲＳ、ＴＤ−ＳＣＤＭＡ、Ｗ−ＣＤＭＡ  ｃｄｍａ２０００、およびＷＬＡＮのうちの少なくとも２つを含む、請求項１から請求項１１のいずれかに記載の方法。
【請求項１３】
多規格無線通信システムにおいてＲＦ資源を割り当てる装置であって、
アップリンクからの複数の受信信号を検出する状態検出装置であって、アクセス要求された異なる無線通信方式の種類に関する情報を含む状態検出装置と、
前記検出情報に従って、前記異なる通信方式によって共有される前記ＲＦ資源を割り当てる資源アロケータとを具備し、
前記資源アロケータは、設定間隔内における前記異なる通信方式のそれぞれへのアクセス要求に関する情報の統計に従って、前記ＲＦ資源を割り当て、
前記異なる通信方式のそれぞれへのアクセス要求に関する前記情報は、トラフィック比を計算するために前記異なる通信方式のそれぞれへのアクセス要求数を含む、装置。
【請求項１４】
前記資源アロケータは、前記異なる無線通信方式のそれぞれへのアクセス要求数の比を計算することによって、前記トラフィック比を実現する、請求項１３に記載の装置。
【請求項１５】
前記統計は、前記設定間隔の全体において、前記異なる無線通信方式のそれぞれへのアクセス要求に関する前記情報の統計を実施することによって達成される、請求項１３または請求項１４に記載の装置。
【請求項１６】
前記統計は、前記設定間隔の混雑時間内において、前記異なる無線通信方式のそれぞれへのアクセス要求に関する前記情報の統計を実施することによって達成される、請求項１３または請求項１４に記載の装置。
【請求項１７】
前記資源アロケータによって実行される前記ＲＦ資源の割当ては、
（ｂ）前記異なる無線通信方式へのアクセス要求のために利用可能なＲＦ資源があるかどうかを判断し、および
（ｃ）前記要求のために利用可能なＲＦ資源がある場合には、前記要求に対して前記利用可能なＲＦ資源を割り当てることを含む、請求項１３から請求項１６のいずれかに記載の装置。
【請求項１８】
前記資源アロケータによって実行される、前記ＲＦ資源の割当ては、
（ａ）前記ＲＦ資源を特定の通信方式に予め割当て、
（ｂ）前記異なる無線通信方式が特定の通信方式でない場合に、前記異なる無線通信方式へのアクセス要求のために利用可能なＲＦ資源があるかどうかを判断し、および
（ｃ）前記要求のために利用可能なＲＦ資源がある場合には、前記要求に対して前記利用可能なＲＦ資源を割り当てることを含む、請求項１３から請求項１６のいずれかに記載の装置。
【請求項１９】
前記ステップ（ｂ）および（ｃ）は、
加入者が前記異なる無線通信方式にアクセスするための接続要求を送る、という条件で実行される、請求項１７または請求項１８に記載の装置。
【請求項２０】
前記ステップ（ｂ）および（ｃ）は、
セル・ハンドオーバを実行する加入者が、前記異なる無線通信方式にアクセスするためにハンドオーバ要求を送る、という条件で実行される、請求項１７または請求項１８に記載の装置。
【請求項２１】
前記資源アロケータによって実行される前記ＲＦ資源の割当ては、
前記要求のために利用可能なＲＦ資源がない場合に、前記異なる無線通信方式への前記アクセス要求のために利用可能なＲＦ搬送波があるかどうかを判断し、および
前記要求のために利用可能なＲＦ搬送波がある場合には、前記利用可能なＲＦ搬送波を前記異なる無線通信方式に割り当てるとともに、対応する前記ＲＦ資源を前記要求に割り当てることを含む、請求項１７から請求項２０のいずれかに記載の装置。
【請求項２２】
前記資源アロケータによって実行される前記ＲＦ資源の割当ては、
前記異なる無線通信方式を採用する通信が終了するときに、前記要求に割り当てられた前記ＲＦ搬送波が解除されることを含む、請求項２１に記載の装置。
【請求項２３】
前記資源アロケータによって実行される前記ＲＦ資源の割当ては、
前記要求のために利用可能なＲＦ搬送波がない場合には、前記要求が拒絶されることを含む、請求項２１または請求項２２に記載の装置。
【請求項２４】
前記異なる無線通信方式は、ＩＳ−９５、ＣＤＭＡ、ＧＳＭ、ＴＳＭ、ＧＰＲＳ、ＴＤ−ＳＣＤＭＡ、Ｗ−ＣＤＭＡ、ｃｄｍａ２０００、およびＷＬＡＮのうちの少なくとも２つを含む、請求項１３から請求項２３のいずれかに記載の装置。
【請求項２５】
ＲＦ信号を送受信する複数のトランシーバと、
前記受信信号または前記トランシーバによって送信される信号を処理する複数のＲＦ処理ユニットと、
アクセス要求されている前記異なる無線通信方式の種類に関し、アップリンクからの受信信号に包含された情報を検出するＲＦ資源アロケータであって、前記検出された情報に従って、前記異なる通信方式によって共有されるＲＦ資源を割り当てるＲＦ資源アロケータとを具備し、
前記ＲＦ資源アロケータは、設定間隔内における前記異なる無線通信方式のそれぞれへのアクセス要求に関する情報の統計に従って、前記ＲＦ資源を割り当て、
前記異なる無線通信方式のそれぞれへのアクセス要求に関する前記情報は、トラフィック比を計算するために前記異なる無線通信方式のそれぞれへのアクセス要求数を含む、無線通信システム。
【請求項２６】
前記ＲＦ資源アロケータは、前記異なる無線通信方式のそれぞれへのアクセス要求数の比を計算することによって、前記トラフィック比を実現する、請求項２５に記載のシステム。
【請求項２７】
前記統計は、前記設定間隔の全体において、前記異なる無線通信方式のそれぞれへのアクセス要求に関する前記情報の統計を実施することによって達成される、請求項２５または請求項２６に記載のシステム。
【請求項２８】
前記統計は、前記設定間隔の混雑時間内において、前記異なる無線通信方式のそれぞれへのアクセス要求に関する前記情報の統計を実施することによって達成される、請求項２５または請求項２６に記載のシステム。
【請求項２９】
前記ＲＦ資源アロケータによって実行される前記ＲＦ資源の割当ては、
（ｂ）前記異なる無線通信方式へのアクセス要求のために利用可能なＲＦ資源があるかどうかを判断し、および
（ｃ）前記要求のために利用可能なＲＦ資源がある場合には、前記要求に対して前記利用可能なＲＦ資源を割り当てることを含む、請求項２５から請求項２８のいずれかに記載のシステム。
【請求項３０】
前記ＲＦ資源アロケータによって実行される前記ＲＦ資源の割当ては、
（ａ）前記ＲＦ資源を特定の通信方式に予め割当て、
（ｂ）異なる無線通信方式が特定の通信方式でない場合に、前記異なる無線通信方式へのアクセス要求のために利用可能なＲＦ資源があるかどうかを判断し、および
（ｃ）前記要求のために利用可能なＲＦ資源がある場合には、前記要求に対して前記利用可能なＲＦ資源を割り当てることを含む、請求項２５から請求項２８のいずれかに記載のシステム。
【請求項３１】
ステップ（ｂ）および（ｃ）は、
加入者が前記異なる無線通信方式にアクセスするための接続要求を送る、という条件で実行される、請求項２９または請求項３０に記載のシステム。
【請求項３２】
ステップ（ｂ）および（ｃ）は、
セル・ハンドオーバを実行する加入者が、前記異なる無線通信方式にアクセスするためにハンドオーバ要求を送る、という条件で実行される、請求項２９または請求項３０に記載のシステム。
【請求項３３】
前記ＲＦ資源アロケータによって実行される前記ＲＦ資源割当ては、
前記要求のために利用可能なＲＦ資源がない場合に、前記異なる無線通信方式への前記アクセス要求のために利用可能なＲＦ搬送波があるかどうかを判断し、および
前記要求のために利用可能なＲＦ搬送波がある場合には、前記利用可能なＲＦ搬送波を前記異なる無線通信方式に割り当てるとともに、対応する前記ＲＦ資源を前記要求に割り当てることを含む、請求項２９から請求項３２のいずれかに記載のシステム。
【請求項３４】
前記ＲＦ資源アロケータによって実行される前記ＲＦ資源の割当ては、
前記異なる無線通信方式を利用する通信が終了するときに、前記要求に割り当てられた前記ＲＦ搬送波が解除されることを含む、請求項３３に記載のシステム。
【請求項３５】
前記ＲＦ資源アロケータによって実行される前記ＲＦ資源の割当ては、
前記要求のために利用可能なＲＦ搬送波がない場合には、前記要求が拒絶されることを含む、請求項３３または請求項３４に記載のシステム。
【請求項３６】
前記異なる無線通信方式は、ＩＳ−９５、ＣＤＭＡ、ＧＳＭ、ＴＳＭ、ＧＰＲＳ、ＴＤ−ＳＣＤＭＡ、Ｗ−ＣＤＭＡ、ｃｄｍａ２０００、およびＷＬＡＮのうちの少なくとも２つを含む、請求項２５から請求項３５のいずれかに記載のシステム。
【発明の詳細な説明】
【技術分野】
【０００１】
本発明は、多規格（multi-standard）無線通信システムに関し、より具体的には、多規格通信システムにおけるＲＦ資源を割り当てるための方法および装置に関する。
【背景技術】
【０００２】
移動通信システムの発達によって、益々多くの通信規格（すなわち、無線通信方式）が出現しており、例えば、第２世代（２Ｇ）の通信方式に属するＧＳＭ、ＩＳ−９５およびＣＭＤＡ、２Ｇから３Ｇ通信方式に属するＧＰＲＳおよびＴＳＭ、第３世代（３Ｇ）通信方式に含まれるＴＤ−ＳＣＤＭＡ、Ｗ−ＣＤＭＡおよびｃｄｍａ２０００、さらに、他の普及している無線通信方式であるＷＬＡＮ、などがある。
【０００３】
ＩＴＵの規制によれば、異なる無線通信方式を備える移動通信システムは、異なる周波数帯の搬送波を使用してデータを伝送することが要求されている。しかしながら、通信サービスの急速な発達によって、様々な無線通信方式が出現し、即ち、異なる無線通信方式が、同一周波数帯内の異なる搬送波を使用してデータを伝送する場合がある。典型的には、中国無線通信規格化グループ（ＣＷＴＳ：China Wireless Communication Standard group）によって提案されたＴＳＭ通信方式は、ＴＤ−ＳＣＤＭＡ通信方式と同一周波数帯を共有している。
【０００４】
ＴＤ−ＳＣＤＭＡは、ＳＣＤＭＡ（同期コード分割多重アクセス（synchronous code division multiple access））技術によりデータを伝送するＴＤＤモード通信方式であるのに対して、ＴＳＭは、ＧＳＭ通信方式による既存の通信システムからＴＤ−ＳＣＤＭＡ通信方式による通信システムへと、発達する通信方式として設計されている。暫定的な通信方式として、ＴＳＭ通信方式は、データを伝送するために、ＴＤ−ＳＣＤＭＡ通信方式と同一周波数帯を共有している。
【０００５】
通信システムが、ＴＳＭ通信方式からＴＤ−ＳＣＤＭＡ通信方式へと発達するとき、ＴＳＭ加入者およびＴＤ−ＳＣＤＭＡ加入者は、絶え間ない変化を経験する。すなわち、発達の序盤においてはＴＳＭ加入者が多数を占めるが、発達が進行するにつれて徐々にＴＳＭ加入者は減少してＴＤ−ＳＣＤＭＡ加入者が増加し、発達の終盤においてはＴＤ−ＳＣＤＭＡ加入者が多数を構成する一方で、ＴＳＭ加入者は少数を占めるだけとなる。ＴＳＭ加入者およびＴＤ−ＳＣＤＭＡ加入者の構成における顕著な変化によって、異なる周波数資源が必要となり、したがって限定された周波数資源を、共存する無線通信方式との間で動的に割り当てる必要があり、それによって、ＲＦ資源の合理的な割当ておよび再使用を達成する。
【発明の開示】
【発明が解決しようとする課題】
【０００６】
したがって、本発明の目的は、多規格無線通信システムにおいて、ＲＦ資源を割り当てるための方法および装置であって、要求に応じて、限られたＲＦ資源を共存する無線通信方式に動的に割り当てることができる方法および装置を提供することである。
【０００７】
本発明の他の目的は、多規格無線通信システムにおけるＲＦ資源を割り当てるための方法および装置であって、長い発達過程におけるスペクトルの利用を改善するために、共存する無線通信方式によって共有されるＲＦ資源を統計的に構成することができる方法および装置を提供することである。
【０００８】
本発明の他の目的は、多規格無線通信システムの間でＲＦ資源を割り当てる方法および装置であって、発達の序盤および終盤においてスペクトルの利用を改善するために、共存する無線通信方式によって共有されるＲＦ資源に対して所望の構成（expected configuration）をもたらすことが可能な方法および装置を提供することである。
【課題を解決するための手段】
【０００９】
上記の目的を満たすために、本発明の提案として、多規格無線通信システムの間でＲＦ資源を割り当てる方法は、
（ａ）アップリンクからの複数の受信信号であって、アクセスすることを要求されている異なる無線通信方式の種類についての情報を含む複数の受信信号を検出し、および
（ｂ）上記検出情報に従って、上記異なる通信方式によって共有される無線ＲＦ資源を割り当てることを具備する。
【００１０】
上記の目的を達成するために、本発明の提案として、多規格無線通信システムの間でＲＦ資源を割り当てる装置は、
アップリンクからの複数の受信信号を検出する状態検出装置であって、アクセスすることを要求された異なる無線通信方式の種類についての情報を含む状態検出装置、および
上記検出情報に従って、上記異なる通信方式によって共有されるＲＦ資源を割り当てる資源アロケータを具備する。
【００１１】
上記の目的を達成するために、本発明で提案する無線通信システムは、
ＲＦ信号を送受信する、複数のトランシーバと、
上記受信信号または上記トランシーバによって送信される信号を処理する、複数のＲＦ処理ユニットと、
アクセスすることを要求されている異なる無線通信方式のタイプについての、アップリンクからの受信信号に包含される情報を検出し、上記検出情報に従って、上記異なる通信方式が共有するＲＦ資源を割り当てる、ＲＦ資源アロケータ（allocator）とを備える。
【発明を実施するための最良の形態】
【００１２】
添付の図に関連して、本発明について以下でさらに説明する。
【００１３】
本発明は、共存する無線通信方式の異なる要求に従って、基地局内で共存する無線通信方式に対して、ＲＦ資源を動的に割り当てる方法および装置を提供する。ＴＳＭおよびＴＤ−ＳＣＤＭＡ無線通信方式が共存する以下の無線通信システムの実施形態において、当該方法および装置は、異なる発展段階の間に上記共存する無線通信方式に適用されるときに、異なる特徴を有する。
【００１４】
記述は、添付の図面に関連して、ＴＳＭおよびＴＤ−ＳＣＤＭＡ無線通信方式が共存する通信システムにおいて、発達過程中に共有ＲＦ資源の統計的構成（statistical configuration）を行うための、本発明が提供する方法および装置、並びに、発達過程の序盤および終盤の間に共有ＲＦ資源の予測構成（expected configuration）を行うための、本発明が提供する方法および装置のそれぞれに対してなされる。
【００１５】
図１に示すように、Ａ、Ｂ、Ｃ、Ｄ、ＥおよびＺは６つのセルを示しており、これらは移動通信システムを構成し、セルＺは中央セルであり、セルＡ〜ＥはセルＺの隣接セルである。
【００１６】
図２に示すように、図１のすべてのセルは、基地局１０（すなわちノードＢ）および１つまたは複数の移動端末２０を含む。
【００１７】
図３は、図２におけるセルの基地局１０の構造を示している。図３に示すように、基地局１０は、ＲＦ信号を送受信するためのＮ個のアンテナ３０、Ｎ個のＲＦユニット４０、および、１つのコントローラ５０を含み、ここですべてのＲＦユニット４０は、トランシーバ、変調器および復調器で構成されている。トランシーバの入出力は、アンテナ３０からの信号を受信あい、あるいは、アンテナ３０を介してＲＦ信号を送信するために、対応するアンテナ３０に結合されており、トランシーバの出力は、受信ＲＦ信号を復調するために、上記復調器の入力に結合されており、トランシーバの入力は、送信用の変調信号をアンテナ３０へ送るように、上記変調器の出力に結合されている。すべてのＲＦユニット４０は、データを伝送するために、それ自体のＲＦ搬送波を有する。
【００１８】
上記コントローラ５０は、プロセッサ６０、アロケータ８０、メモリ７０およびシステム状態検出装置９０を備え、上記プロセッサ６０は、上記ＲＦユニット４０の各々におけるトランシーバの他の入出力に結合されており、それによって各ＲＦユニット４０からの信号を受信し、同時に上記プロセッサ６０はアロケータ８０、メモリ７０およびシステム状態検出装置９０と通信し、より詳細には、状態検出装置９０が、プロセッサ６０からの信号に従って、アクセスを要求されている無線通信方式の種類を検出する。多規格無線通信システムにおけるＲＦ資源割当てについての情報を記憶するために使用されるとき、基地局がＲＦ資源の統計的構成の方法を選択する場合には、メモリ７０は、ある期間において状態検出装置９０によって検出される無線通信方式のそれぞれへのアクセス要求数を記録するためにも使用される。資源アロケータ８０は、統計的構成方法においてメモリによって記録される異なる無線通信方式のそれぞれへのアクセス要求数に従うか、あるいは、状態検出装置９０によって検出される無線通信方式の種類およびメモリ中に記憶されたＲＦ資源割当てについての情報に従って、上記ＴＳＭおよびＴＤ−ＳＣＤＭＡ無線通信方式によって共有されるＲＦ資源を動的に割り当てる。次いで、プロセッサ６０は、資源アロケータ８０からの命令に従って、ＲＦユニット４０においてＲＦ搬送波を制御して調節する。
【００１９】
以下に示す詳細な説明は、ＴＳＭおよびＴＤ−ＳＣＤＭＡ通信方式の異なる発達段階に応じて、それぞれ上記統計的構成方法および予測構成方法に対してなされる。
【００２０】
［統計的構成方法］
一般的に、ＴＳＭ通信方式からＴＤ−ＳＣＤＭＡ通信方式への発達は、数年間続くであろう、長期の過程である。この場合に、２つの無線通信方式の加入者は、この過程の間に激変することはなく、したがってＲＦ資源の構成は、例えば、隔月に行うなど間隔をおいて行うことができる。
【００２１】
資源アロケータ８０は、ＴＳＭ無線通信方式のそれぞれにアクセスするための要求数、および、１つの間隔内でメモリ７０によって記録されるＴＤ−ＳＣＤＭＡ無線通信方式に対する要求数に従って、各セル内でＲＦ搬送波を再度割当てし、ここでメモリ７０によって記録される数は、間隔全体における、２つの無線通信方式のそれぞれの総トラフィック負荷数（traffic load number）である。次の間隔が開始される前に、メモリ７０はクリアされて、次の間隔において状態検出装置９０によって検出されるＴＳＭおよびＴＤ−ＳＣＤＭＡ無線通信方式のそれぞれに対するアクセス要求数を記録する。
【００２２】
統計的構成方法を示すために２つの実施形態が提示され、それらにおいては、アロケータ８０が、上記無線通信方式のそれぞれに対するアクセス要求数に従って、ＲＦ資源を動的に割り当てる。
【００２３】
（実施形態１）
ある間隔の後に、ＲＦ資源を構成する必要がある場合、アロケータ８０は、まずメモリ７０にアクセスし、その間隔内で状態検出装置９０によって検出された２つの無線通信方式のそれぞれに対するアクセス要求数を問い合わせ、ＴＳＭ通信方式へのアクセス要求数と、ＴＤ−ＳＣＤＭＡ通信方式へのアクセス要求数との比Ｒを計算する。その後に、セル内のＲＦ搬送波の数がＮであると仮定して、アロケータ８０は、ＴＳＭ通信方式に対する搬送波の数をＮ１とし、ＴＤ−ＳＣＤＭＡ通信方式に対する搬送波の数をＮ２として割り当て、ここでＮ１＋Ｎ２＝Ｎとして、Ｎ１／Ｎ２の値を計算する。アロケータ８０は、Ｎ１およびＮ２のいくつかの組を割り当て（２つの無線通信方式がアクセス可能であることを保証するために、Ｎ１およびＮ２は、１以上に維持しなくてはならない）、Ｎ１とＮ２のすべての組について、Ｎ１／Ｎ２の値を取得し、次いで計算された比Ｒに従って、アロケータ８０は、Ｒに最も近いＮ１／Ｎ２の値を取り上げて、Ｎ個のＲＦ搬送波を２つのＴＳＭおよびＴＤ−ＳＣＤＭＡ無線通信方式に割り当てる。
【００２４】
例えば、その数は、ＴＳＭ無線通信方式に対して３．４アーラン（Ｅｒｌ）であり、ＴＤ−ＳＣＤＭＡ無線通信方式に対して８．５アーラン（Ｅｒｌ）であって、Ｎ＝８であり、Ｒ＝０．４となる。２つのＲＦ搬送波がＴＳＭ無線通信方式に割り当てられ、ＴＤ−ＳＣＤＭＡ無線通信方式には６つのＲＦ搬送波が割り当てられる場合には、Ｎ１／Ｎ２＝０．３３３３を得ることができる。ＴＳＭ無線通信方式に３つのＲＦ搬送波が割り当てられ、ＴＤ−ＳＣＤＭＡ無線通信方式に５つのＲＦ搬送波が割り当てられる場合には、Ｎ１／Ｎ２＝０．６を得ることができる。上述のように、アロケータ８０は、Ｒにより近い第１のＲＦ搬送波割当てを選ばなければならない。
【００２５】
（実施形態２）
実施形態１においては、アロケータ８０は、トラフィック比Ｒを計算するために間隔全体でのＴＳＭおよびＴＤ−ＳＣＤＭＡ無線通信方式のそれぞれへのアクセス要求数を使用する。しかしながら、最も重要なデータは、ブロック・レート（block rate）に最も関係の深い間隔の混雑時間（rush hour）からのデータであり、したがって実施形態２においては、実施形態１に対してわずかな修正を加えること、すなわち間隔全体での要求数の代わりに、その間隔の混雑時間からの要求数だけを使用して比Ｒを計算する。その他は実施形態１と同様である。
【００２６】
［予測構成方法］
発展の序盤において、ＴＤ−ＳＣＤＭＡ加入者は、ＴＳＭ加入者よりもはるかに少ないと考えられる。この場合には、ＴＤ−ＳＣＤＭＡ無線通信方式のためのＲＦ搬送波が、各セルにおいてそれでもなお保持されていると、非常に非効率的になる。本発明における予測構成方法の実施形態１は、この問題を解決するために導入される。
【００２７】
（実施形態１）
予測構成方法によれば、セル内のすべてのＲＦ搬送波は、ＴＳＭ無線通信方式に対して割り当てられ、以下に示す場合にのみ、１つのＲＦ搬送波がＴＤ−ＳＣＤＭＡ無線通信方式に割り当てられる。それは、
（１）ＴＤ−ＳＣＤＭＡ加入者がセル内で接続要求を送る場合、
（２）ＴＤ−ＳＣＤＭＡ加入者が隣接セルから当該セルに移動して当該セル内でハンドオーバ要求を送る場合、である。
【００２８】
図４に示す予測構成方法のように、セル内では、ＴＤ−ＳＣＤＭＡ加入者からの接続がない場合に、すべてのＲＦ搬送波がＴＳＭ無線通信方式に割り当てられる（Ｓ１）。セル内のＴＤ−ＳＣＤＭＡ加入者が接続またはハンドオーバの要求を送るとき（Ｓ１０）、セル内の基地局は、最初に、ＴＤ−ＳＣＤＭＡ無線通信方式に利用可能なＲＦ資源があるかどうかを判断し（Ｓ２０）、ＴＤ−ＳＣＤＭＡ無線通信方式のために利用可能なＲＦ資源がある場合には、ＲＦ資源が上記要求に対して割り当てられ（Ｓ３０）、ＴＤ−ＳＣＤＭＡ無線通信方式のために利用可能なＲＦ資源がない場合には、利用可能なＲＦ搬送波があるかどうかを判断し（Ｓ４０）、利用可能なＲＦ搬送波がある場合には、ＲＦ搬送波がＴＤ−ＳＣＤＭＡ無線通信方式に割り当てられ（Ｓ５０）、次いでそのＲＦ搬送波に対応するＲＦ資源が上記要求に割り当てられることになり（Ｓ６０）、利用可能なＲＦ搬送波がない場合には、要求は拒否され（Ｓ７０）、その要求は終了する（Ｓ１００１）。
【００２９】
セル内でＴＤ−ＳＣＤＭＡ無線通信方式のすべての通信が終了すると、即ち、上記セル内でＴＤ−ＳＣＤＭＡ無線通信方式の接続がなくなると、ＴＤ−ＳＣＤＭＡ無線通信方式によって占有されたＲＦ搬送波がＴＳＭ無線通信方式に再度割当てられることになる。
【００３０】
発展の終盤においては、状況は完全に逆転する。ほとんどすべての加入者は、わずかな数のＴＳＭ加入者を除いて、ＴＤ−ＳＣＤＭＡ無線通信方式の加入者となる。この場合には、ＲＦ搬送波が、各セルにおいてＴＳＭ通信用に保持されたままであれば、非常に非効率になる可能性がある。本発明の予測構成方法の実施形態２は、この問題を解決するために導入される。
【００３１】
実施形態２
上記予測構成方法によれば、セル内のすべてのＲＦ搬送波は、１つのＲＦ搬送波がＴＳＭ無線通信方式に割り当てられる以下のような場合を除いて、ＴＤ−ＳＣＤＭＡ無線通信方式に割り当てられる。それは、すなわち
（１）ＴＳＭ加入者がセル内で接続要求を送る場合、
（２）ＴＳＭ加入者が隣接セルから当該セルに移動して当該セル内でハンドオーバ要求を送る場合、である。
【００３２】
図５に示す予測構成方法のように、セル内で、ＴＳＭ加入者からの接続がない場合には、すべてのＲＦ搬送波が、ＴＤ−ＳＣＤＭＡ無線通信方式に割り当てられる（Ｓ１）。セル内のＴＳＭ加入者が、接続またはハンドオーバの要求を送るとき（Ｓ１００）、セル内の基地局は、最初に、ＴＳＭ無線通信方式に利用可能なＲＦ資源があるかどうかを判断し（Ｓ２００）、ＴＳＭ無線通信方式に利用可能なＲＦ資源がある場合には、そのＲＦ資源が上記要求に対して割り当てられ（Ｓ３００）、ＴＳＭ無線通信方式に利用可能なＲＦ資源がない場合には、利用可能なＲＦ搬送波があるかどうかを判断し（Ｓ４００）、利用可能なＲＦ搬送波がある場合には、ＲＦ搬送波がＴＳＭ無線通信方式に割り当てられ（Ｓ５００）、次いでそのＲＦ搬送波に対応するＲＦ資源が上記要求に割り当てられることになり（Ｓ６００）、利用可能なＲＦ搬送波がない場合には、要求は拒否され（Ｓ７００）、その要求は終了する（Ｓ１００１）。
【００３３】
ＴＳＭ無線通信方式のすべての通信が終了すると（Ｓ１０００）、即ち、セル内でＴＳＭ無線通信方式の接続がなくなると、ＴＳＭ無線通信方式によって占有されたＲＦ搬送波が、ＴＤ−ＳＣＤＭＡ無線通信方式に再度割当てられることになる。
【００３４】
実際、我々は、ＲＦ搬送波のほとんどを、統計的構成方法によって指定するとともに、異なる無線通信方式における加入者数の急激な変化に適応するために、いくつかの搬送波を予測構成方法のために保持する。
【００３５】
［本発明の有益な使用］
多規格無線通信システムにおいてＲＦ資源を割り当てる本発明による方法および装置に関して、本装置の資源アロケータは、共存する無線通信方式によって共有されるＲＦ資源を、状態検出装置によって検出される異なる無線通信方式のそれぞれに対するアクセス要求数に従って、適時に割り当てることができ、それによって、本発明の方法および装置は、共存する無線通信方式に対して限定されたＲＦ資源を動的に割り当てることができる。
【００３６】
多規格無線通信システムにおいて、ＲＦ資源を割り当てる本発明による方法および装置に関して、本発明の方法および装置は、通信システムの異なる発達段階および異なるトラフィック要求の比に従って、統計的構成方法、予測構成方法、またはそれらの組合せを採用することができるので、したがって、当該方法および装置は、共存する無線通信方式によって共有されるＲＦ資源の合理的な構成を実現し、それによって限定されたＲＦ資源の利用を増大することができる。
【００３７】
もちろん、本発明は、好ましい実施形態によって示し記述したが、当業者であれば、本発明において提供される多規格無線通信システムのためのＲＦ資源割当て方法は、ＴＳＭまたはＴＤ−ＳＣＤＭＡ通信方式による通信システムに限定されるものではなく、その他の無線通信方式を使用する通信システムにも適用できることが理解されよう。
【００３８】
また、当業者であれば、本発明において開示する多規格無線通信システムのためのＲＦ資源割当て方法に対して、様々な改良を行うことができることが理解されよう。したがって、保護されるべき本発明の範囲は、特許請求の範囲から決定される必要がある。
【図面の簡単な説明】
【００３９】
【図１】セルラ通信システムの構造を示す図である。
【図２】図１のセルラ通信システムの各セルの構造を示す図である。
【図３】図２における各セルの基地局／ノードの構造を示す図である。
【図４】予測構成方法１のフローチャートである。
【図５】予測構成方法２のフローチャートである。
【図１】
0004485957.tif 000002
【図２】
0004485957.tif 000003
【図３】
0004485957.tif 000004
【図４】
0004485957.tif 000005
【図５】
0004485957.tif 000006